(57)【特許請求の範囲】
【請求項１】
複数の情報データ信号の夫々における当該情報データ信号に関する固有の特徴を検出し、検出された固有の特徴に応じた第１の特徴データ信号を得るとともに、上記複数の情報データ信号のうちの少なくとも一つにおける上記複数の情報データ信号に共通の特徴を検出し、検出された共通の特徴に応じた第２の特徴データ信号を得て、該第１の特徴データ信号及び第２の特徴データ信号に基づく情報識別データ信号を形成し、上記複数の情報データ信号及び上記情報識別データ信号に多重処理を施して情報多重データ信号を得、該情報多重データ信号に記録用処理を施して記録媒体に記録する情報信号処理方法。
【請求項２】
複数の情報データ信号の夫々に対してデータ圧縮処理を施すことを特徴とする請求項１記載の情報信号処理方法。
【請求項３】
複数の情報データ信号を多言語音声データ信号とし、第１の特徴データ信号を、上記多言語音声データ信号の夫々における無音部分を検出し、検出された無音部分に応じて得るとともに、第２の特徴データ信号を、上記多言語音声データ信号のうちの一つにおける特定情報データ部分を検出し、検出された特定情報データ部分に応じて得ることを特徴とする請求項１記載の情報信号処理方法。
【請求項４】
多言語音声データ信号の夫々に対してデータ圧縮処理を施すことを特徴とする請求項３記載の情報信号処理方法。
【請求項５】
記録用処理が施された情報多重データ信号を光学記録ディスク状記録媒体に記録することを特徴とする請求項２または４記載の情報信号処理方法。
【請求項６】
記録媒体から、複数の情報データ信号及び該複数の情報データ信号の夫々についての固有の特徴と共通の特徴とに応じた情報識別データ信号が多重処理されて含まれる情報多重データ信号を読み取って、読取信号を得、該読取信号から上記情報多重データ信号に含まれた複数の情報データ信号と情報識別データ信号との再生を行うようになし、該再生にあたって上記複数の情報データ信号の夫々についての再生状態を再生された情報識別データ信号によって制御する情報信号処理方法。
【請求項７】
複数の情報データ信号の夫々についての再生状態についての再生された情報識別データ信号による制御を、記録媒体からの情報多重データ信号の読取状態を上記再生された情報識別データ信号によって制御することにより行うことを特徴とする請求項６記載の情報信号処理方法。
【請求項８】
複数の情報データ信号の夫々についての再生状態についての再生された情報識別データ信号による制御を、上記複数の情報データ信号の夫々に対するデータ処理状態を上記再生された情報識別データ信号によって制御することにより行うことを特徴とする請求項６記載の情報信号処理方法。
【請求項９】
記録媒体から、複数の情報データ信号が含まれる情報多重データ信号を読み取って読取信号を得、該読取信号から上記情報多重データ信号に含まれた複数の情報データ信号の再生を行うとともに、上記複数の情報データ信号の夫々についての固有の特徴に応じた第１の特徴データ信号と上記複数の情報データ信号のうちの少なくも一つにおける上記複数の情報データ信号に共通の特徴に応じた第２の特徴データ信号とを得るようになし、得られた第１及び第２の特徴データ信号によって上記複数の情報データ信号の夫々についての再生状態を制御する情報信号処理方法。
【請求項１０】
複数の情報データ信号の夫々についての再生状態についての第１及び第２の特徴データ信号による制御を、記録媒体からの情報多重データ信号の読取状態を上記第１及び第２の特徴データ信号によって制御することにより行うことを特徴とする請求項９記載の情報信号処理方法。
【請求項１１】
複数の情報データ信号の夫々についての再生状態についての第１及び第２の特徴データ信号による制御を、上記複数の情報データ信号の夫々に対するデータ処理状態を上記第１及び第２の特徴データ信号によって制御することにより行うことを特徴とする請求項９記載の情報信号処理方法。
【請求項１２】
再生された複数の情報データ信号をデータ伸長処理が施されたものとなすことを特徴とする請求項６から１１までのいずれかに記載の情報信号処理方法。
【請求項１３】
情報多重データ信号を光学記録ディスク状記録媒体から読み取ることを特徴とする請求項１２記載の情報信号処理方法。
【請求項１４】
複数の情報データ信号の夫々における当該情報データ信号に関する固有の特徴を検出し、検出された固有の特徴に応じた第１の特徴データ信号を得る第１の特徴データ検出部と、
上記複数の情報データ信号のうちの少なくとも一つにおける上記複数の情報データ信号に共通の特徴を検出し、検出された共通の特徴に応じた第２の特徴データ信号を得る第２の特徴データ検出部と、
上記第１の特徴データ信号及び第２の特徴データ信号に基づく情報識別データ信号を形成する情報識別データ形成部と、
上記複数の情報データ信号及び情報識別データ信号に多重処理を施して情報多重データ信号を形成するデータ多重処理部と、
上記情報多重データ信号に記録用処理を施して記録データ信号を形成する記録用処理部と、
上記記録データ信号を記録媒体に記録する信号記録部と、
を備えて構成される情報信号処理装置。
【請求項１５】
複数の情報データ信号の夫々に対してデータ圧縮処理を施すデータ圧縮部が設けられたことを特徴とする請求項１４記載の情報信号処理装置。
【請求項１６】
複数の情報データ信号が多言語音声データ信号とされ、第１の特徴データ検出部が、第１の特徴データ信号を、上記多言語音声データ信号の夫々に関する無音部分を検出し、検出された無音部分に応じて得るとともに、第２の特徴データ検出部が、第２の特徴データ信号を、上記多言語音声データ信号のうちの一つにおける特定情報データ部分を検出し、検出された特定情報データ部分に応じて得ることを特徴とする請求項１４記載の情報信号処理装置。
【請求項１７】
複数の多言語音声データ信号の夫々に対してデータ圧縮処理を施すデータ圧縮部が設けられたことを特徴とする請求項１７記載の情報信号処理装置。
【請求項１８】
信号記録部が記録データ信号を光学記録ディスク状記録媒体に記録することを特徴とする請求項１５または１７記載の情報信号処理装置。
【請求項１９】
記録媒体から、複数の情報データ信号及び該複数の情報データ信号の夫々についての固有の特徴と共通の特徴とに応じた情報識別データ信号が多重処理されて含まれる情報多重データ信号に基づく記録データ信号を読み取って、読取信号を得る信号読取部と、
該信号読取部から得られる読取信号に基づいて情報多重データ信号を得る信号処理部と、
該信号処理部から得られる情報多重データ信号から上記複数の情報データ信号と上記情報識別データ信号との再生を行うデータ信号再生部と、
該データ信号再生部における上記複数の情報データ信号の夫々についての再生状態を上記データ信号再生部により再生された情報識別データ信号によって制御する制御部と、
を備えて構成される情報信号処理装置。
【請求項２０】
制御部が、複数の情報データ信号の夫々についての再生状態についての再生された情報識別データ信号による制御を、記録媒体からの記録データ信号の読取状態を上記再生された情報識別データ信号によって制御することにより行うことを特徴とする請求項１９記載の情報信号処理装置。
【請求項２１】
制御部が、複数の情報データ信号の夫々についての再生状態についての再生された情報識別データ信号による制御を、データ信号再生部における上記複数の情報データ信号の夫々に対するデータ処理状態を上記再生された情報識別データ信号によって制御することにより行うことを特徴とする請求項１９記載の情報信号処理装置。
【請求項２２】
記録媒体から、複数の情報データ信号が含まれる情報多重データ信号を読み取って読取信号を得る信号読取部と、
該信号読取部から得られる読取信号に基づいて情報多重データ信号を得る信号処理部と、
該信号処理部から得られる情報多重データ信号から上記複数の情報データ信号の再生を行うデータ信号再生部と、
上記複数の情報データ信号の夫々についての固有の特徴に応じた第１の特徴データ信号と上記複数の情報データ信号のうちの少なくも一つにおける上記複数の情報データ信号に共通の特徴に応じた第２の特徴データ信号とを得る特徴データ信号形成部と、
上記データ信号再生部における上記複数の情報データ信号の夫々についての再生状態を上記特徴データ信号形成部から得られる第１及び第２の特徴データ信号によって制御する制御部と、
を備えて構成される情報信号処理装置。
【請求項２３】
制御部が、複数の情報データ信号の夫々についての再生状態についての第１及び第２の特徴データ信号による制御を、記録媒体からの情報多重データ信号の読取状態を上記第１及び第２の特徴データ信号によって制御することにより行うことを特徴とする請求項２２記載の情報信号処理装置。
【請求項２４】
制御部が、複数の情報データ信号の夫々についての再生状態についての第１及び第２の特徴データ信号による制御を、データ信号再生部における上記複数の情報データ信号の夫々に対するデータ処理状態を上記第１及び第２の特徴データ信号によって制御することにより行うことを特徴とする請求項２２記載の情報信号処理装置。
【請求項２５】
データ信号再生部が、複数の情報データ信号をデータ伸長処理が施されたものとなすデータ伸長部を含むことを特徴とする請求項１７から２２までのいずれかに記載の情報信号処理装置。
【請求項２６】
信号読取部が、情報多重データ信号を光学記録ディスク状記録媒対から読み取って読取信号を得ることを特徴とする請求項２３記載の情報信号処理装置。
【発明の詳細な説明】
【０００１】
【発明の属する技術分野】
本願発明は、多言語音声データ信号等の複数の情報データ信号の夫々についての所定の処理を施したもとでの記録媒体への記録、もしくは、記録媒体から読み取ったデータ信号に所定の処理を施すことによる、例えば、多言語音声データ信号とされる複数の情報データ信号の再生を行う情報信号処理方法及び装置に関する。
【０００２】
【従来の技術】
音声情報，映像情報等をあらわす情報信号をディジタルデータ化して処理するディジタル技術の進歩、取り分け、ディジタルデータについての高能率符号化によるデータ圧縮処理の発展に伴い、現在にあっては、例えば、音声信号をアナログ／ディジタル変換（Ａ／Ｄ変換）して得られる音声データ信号を、安価で手軽に取り扱える記録媒体、例えば、比較的小型な光学ディスク等に効率良く記録すること、及び、比較的小型な光学ディスク等からそれに記録された音声データ信号を適正に再生することが、極めて容易に行えることとされた状況にある。そして、比較的小型な光学ディスク等から再生された音声データ信号は、それに対してディジタル／アナログ変換（Ｄ／Ａ変換）が施されることにより、元の音声信号に戻される。
【０００３】
このようなもとで、複数種の情報、例えば、アナウンス，解説，説明，会話等々の言語情報及び各種の音楽情報を含んだ音声信号を、ディジタルデータ化して人声情報データ，音楽情報データ、さらには、無音であることをあらわす無音部分を含んだ音声データ信号とし、その音声データ信号を光学ディスク等の記録媒体に記録しておき、必要に応じて、その記録媒体から音声データ信号を再生し、再生された音声データ信号に基づく音声出力を得るようにする音声信号の記録再生が、様々な分野で行われている。斯かる際において、記録媒体から音声データ信号を再生するにあたり、例えば、音楽情報データ及び無音部分については再生を行わず、人声情報データのみについての再生を行うこと、あるいは、人声情報データ及び無音部分については再生を行わず、音楽情報データのみについての再生を行うことが望まれる場合がある。
【０００４】
そこで、斯かる要望に応えるべく、従来、音声データ信号の光学ディスク等の記録媒体への記録にあたり、音声データ信号におけるその特徴をあらわす特徴部分、例えば、無音部分及び音楽情報データ部分についての検出を行い、検出された無音部分及び音楽情報データ部分に基づく情報識別データ信号を形成して、その情報識別データ信号を音声データ信号と共に記録媒体に記録するようになすことが提案されている。その場合、音声データ信号と情報識別データ信号とは、情報識別データ信号が音声データ信号に含まれる無音部分及び音楽情報データ部分に対応している関係にある。
【０００５】
このようにして音声データ信号と情報識別データ信号とが記録された記録媒体が音声データ信号の再生に供される場合には、記録媒体からの音声データ信号の再生状態が、記録媒体から再生された情報識別データ信号によって制御されて、例えば、音声データ信号に含まれる音楽情報データ及び無音部分については実質的に再生が行われないようにされ、その結果、音声データ信号に含まれる人声情報データのみが再生される状態が得られることになる。
【０００６】
【発明が解決しようとする課題】
上述の如くに、光学ディスク等の記録媒体からのそれに記録された音声データ信号の再生にあたり、例えば、音声データ信号に含まれる人声情報データのみについての再生を行うことができるようにすべく、記録媒体に音声データ信号と情報識別データ信号とが記録される場合、音声データ信号が多言語音声データ信号とされる場合には、記録媒体からの多言語音声データ信号の再生にあたって不都合が生じる虞がある。
【０００７】
多言語音声データ信号は、各々が、同一の意味内容を複数の互いに異なった言語によって言いあらわした言語情報をあらわす複数の人声情報データの夫々，共通の音楽情報データ及び無音部分を含んだものとされる、複数の音声データ信号のグループとされる。即ち、複数の互いに異なった言語が、例えば、日本語，英語及びドイツ語とされる場合、多言語音声データ信号は、或る事柄を日本語によって言いあらわした言語情報をあらわす人声情報データ，共通の音楽情報データ及び無音部分を含んだ第１の音声データ信号と、或る事柄を英語によって言いあらわした言語情報をあらわす人声情報データ，共通の音楽情報データ及び無音部分を含んだ第２の音声データ信号と、或る事柄をドイツ語によって言いあらわした言語情報をあらわす人声情報データ，共通の音楽情報データ及び無音部分を含んだ第３の音声データ信号とから成る。
【０００８】
日本語，英語及びドイツ語の夫々による言いあらわし方においては、同一意味内容の事柄を言いあらわす際においても、無音状態のタイミング及び継続時間長が夫々異なることになる。従って、或る事柄を日本語によって言いあらわした言語情報をあらわす人声情報データ，或る事柄を英語によって言いあらわした言語情報をあらわす人声情報データ、及び、或る事柄をドイツ語によって言いあらわした言語情報をあらわす人声情報データの夫々は、互いに異なったタイミング及び継続時間長をもって、無音部分を介在させることになる。
【０００９】
これよりして、多言語音声データ信号は、それを構成する複数の音声データ信号の夫々が、それに含まれる音楽情報データは共通とされるが、それに含まれる無音部分が、そのタイミング及び継続時間長において互いに異なるものとされる。それゆえ、このような多言語音声データ信号が情報識別データ信号と共に記録媒体に記録される場合には、多言語音声データ信号と情報識別データ信号とが、情報識別データ信号が、多言語音声データ信号を構成する複数の音声データ信号のうちの一つに含まれる無音部分及び音楽情報データ部分には対応しているが、多言語音声データ信号を構成する複数の音声データ信号のうちの他のものに含まれる無音部分には対応していないことになる関係におかれてしまう。
【００１０】
その結果、記録媒体からの多言語音声データ信号の再生にあたり、多言語音声データ信号を構成する複数の音声データ信号の夫々について、記録媒体から再生された情報識別データ信号による制御のもとに、例えば、人声情報データのみについての再生が行われるようにされる場合において、斯かる再生が適正に行われないことになる事態が生じる。
【００１１】
斯かる点に鑑み、本願における請求項１，２，５及び６〜１３のいずれかに記載された発明は、各々が音声情報等をあらわす複数の情報データ信号を夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々について、それに含まれる特定のデータのみの再生を適正かつ確実に行うことができることになる情報信号処理方法を提供する。
【００１２】
また、本願における請求項３または４に記載された発明は、多言語音声データ信号を構成する複数の音声データの夫々にディジタル処理を施して記録媒体に記録し、また、記録媒体から得られる読取信号にディジタル処理を施して複数の音声データ信号を再生するにあたり、記録媒体からの多言語音声データ信号を構成する複数の音声データ信号の夫々について、例えば、人声情報データのみについての再生を適正かつ確実に行うことができることになる情報信号処理方法を提供する。
【００１３】
さらに、本願における請求項１４，１５及び１８〜２６のいずれかに記載された発明は、各々が音声情報等をあらわす複数の情報データ信号を夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々について、それに含まれる特定のデータのみの再生を適正かつ確実に行うことができる情報信号処理装置を提供する。
【００１４】
また、本願における請求項１６または１７に記載された発明は、多言語音声データ信号を構成する複数の音声データの夫々にディジタル処理を施して記録媒体に記録し、また、記録媒体から得られる読取信号にディジタル処理を施して複数の音声データ信号を再生するにあたり、記録媒体からの多言語音声データ信号を構成する複数の音声データ信号の夫々について、例えば、人声情報データのみについての再生を適正かつ確実に行うことができる情報信号処理装置を提供する。
【００１５】
【課題を解決するための手段】
本願発明のうちの請求項１，２または５に記載された発明に係る情報信号処理方法は、複数の情報データ信号の夫々における当該情報データ信号に関する固有の特徴を検出し、検出された固有の特徴に応じた第１の特徴データ信号を得るとともに、複数の情報データ信号のうちの少なくとも一つにおける複数の情報データ信号に共通の特徴を検出し、検出された共通の特徴に応じた第２の特徴データ信号を得て、第１の特徴データ信号及び第２の特徴データ信号に基づく情報識別データ信号を形成し、複数の情報データ信号及び情報識別データ信号に多重処理を施して情報多重データ信号を得、その情報多重データ信号に記録用処理を施して記録媒体に記録するものとされる。
【００１６】
また、本願発明のうちの請求項６〜８，１２及び１３のいずれかに記載された発明に係る情報信号処理方法は、記録媒体から複数の情報データ信号及び情報識別データ信号が多重処理されて含まれる情報多重データ信号を読み取って読取信号を得、その読取信号から情報多重データ信号に含まれた複数の情報データ信号と情報識別データ信号との再生を行うようになし、その再生にあたって複数の情報データ信号の夫々についての再生状態を再生された情報識別データ信号によって制御するものとされる。
【００１７】
このような本願発明のうちの請求項１，２，５〜８，１２及び１３のいずれかに記載された発明に係る情報信号処理方法が実施されるもとにあっては、複数の情報データ信号が記録媒体に記録されるに際して、複数の情報データ信号の夫々についての固有の特徴と共通の特徴とに応じた情報識別データ信号が形成され、その情報識別データ信号及び複数の情報データ信号に多重処理が施されて得られる情報多重データ信号が、記録用処理が施されて記録媒体に記録される。即ち、複数の情報データ信号と共に複数の情報データ信号の夫々についての固有の特徴と共通の特徴とに応じた情報識別データ信号が記録媒体に記録されるのであり、この情報識別データ信号は、複数の情報データ信号のうちのいずれについても、それにおける固有の特徴及び共通の特徴に対応していることになる。
【００１８】
また、複数の情報データ信号がそれが記録された記録媒体から再生されるに際しては、記録媒体から、複数の情報データ信号と共に記録された、複数の情報データ信号の夫々についての固有の特徴と共通の特徴とに応じた情報識別データ信号が再生され、その再生された情報識別データ信号によって複数の情報データ信号の夫々についての再生状態が制御される。その際、再生された情報識別データ信号は、再生される複数の情報データ信号のうちのいずれについても、それにおける固有の特徴及び共通の特徴に対応していることになる。
【００１９】
従って、本願発明のうちの請求項１，２，５〜８，１２及び１３のいずれかに記載された発明に係る情報信号処理方法によれば、各々が、例えば、音声情報をあらわすものとされる複数の情報データ信号を、夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々についての再生状態を、複数の情報データ信号のうちのいずれに対しても、それにおける固有の特徴及び共通の特徴に対応することになる、再生された情報識別データ信号によって制御することができ、その結果、複数の情報データ信号の夫々について、それに含まれる特定のデータのみの再生を適正かつ確実に行うことができる。
【００２０】
複数の情報データ信号が多言語音声データ信号とされる場合には、本願発明のうちの請求項３または４に記載された発明に係る情報信号処理方法のように、第１の特徴データ信号を、多言語音声データ信号の夫々における無音部分を検出し、検出された無音部分に応じて得るとともに、第２の特徴データ信号を、多言語音声データ信号のうちの一つにおける特定情報データ部分を多言語音声データ信号の夫々に共通のものとして検出し、検出された特定情報データ部分に応じて得るものとされる。それゆえ、記録媒体からの多言語音声データ信号の再生にあたっては、記録媒体から、多言語音声データ信号と共に記録された、多言語音声データ信号の夫々についての無音部分と、多言語音声データ信号の夫々に共通な、多言語音声データ信号のうちの一つにおける特定情報データ部分とに応じた情報識別データ信号が再生され、その再生された情報識別データ信号によって多言語音声データ信号の夫々についての再生状態が制御されることにより、多言語音声データ信号の夫々について、例えば、人声情報データのみについての再生を適正かつ確実に行うことができることになる。
【００２１】
さらに、本願発明のうちの請求項９〜１１のいずれかに記載された発明に係る情報信号処理方法は、記録媒体から複数の情報データ信号が含まれる情報多重データ信号を読み取って読取信号を得、該読取信号から情報多重データ信号に含まれた複数の情報データ信号の再生を行うとともに、複数の情報データ信号の夫々についての固有の特徴に応じた第１の特徴データ信号と複数の情報データ信号のうちの少なくも一つにおける複数の情報データ信号に共通の特徴に応じた第２の特徴データ信号とを得るようになし、得られた第１及び第２の特徴データ信号によって複数の情報データ信号の夫々についての再生状態を制御するものとされる。
【００２２】
このような本願発明のうちの請求項９〜１１のいずれかに記載された発明に係る情報信号処理方法が実施されるもとにあっては、複数の情報データ信号がそれが記録された記録媒体から再生されるに際して、記録媒体からの読取信号に基づいて、複数の情報データ信号の夫々についての固有の特徴に応じた第１の特徴データ信号と複数の情報データ信号に共通の特徴に応じた第２の特徴データ信号とが得られ、それらの第１及び第２の特徴データ信号によって複数の情報データ信号の夫々についての再生状態が制御される。その際、第１及び第２の特徴データ信号は、再生される複数の情報データ信号のうちのいずれについても、それにおける固有の特徴及び共通の特徴に対応していることになる。
【００２３】
従って、本願発明のうちの請求項９〜１１のいずれかに記載された発明に係る情報信号処理方法によれば、各々が、例えば、音声情報をあらわすものとされる複数の情報データ信号を、夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々についての再生状態を、複数の情報データ信号のうちのいずれに対しても、それにおける固有の特徴及び共通の特徴に対応することになる、第１及び第２の特徴データ信号によって制御することができ、その結果、複数の情報データ信号の夫々について、それに含まれる特定のデータのみの再生を適正かつ確実に行うことができる。それゆえ、例えば、複数の情報データ信号が多言語音声データ信号とされる場合においては、記録媒体からの多言語音声データ信号の再生にあたり、多言語音声データ信号を構成する複数の音声データ信号の夫々について、例えば、人声情報データのみについての再生を適正かつ確実に行うことができることになる。
【００２４】
一方、本願発明のうちの請求項１４，１５または１８に記載された発明に係る情報信号処理装置は、複数の情報データ信号の夫々における当該情報データ信号に関する固有の特徴を検出し、検出された固有の特徴に応じた第１の特徴データ信号を得る第１の特徴データ検出部と、複数の情報データ信号のうちの少なくとも一つにおける複数の情報データ信号に共通の特徴を検出し、検出された共通の特徴に応じた第２の特徴データ信号を得る第２の特徴データ検出部と、第１の特徴データ信号及び第２の特徴データ信号に基づく情報識別データ信号を形成する情報識別データ形成部と、複数の情報データ信号及び情報識別データ信号に多重処理を施して情報多重データ信号を形成するデータ多重処理部と、情報多重データ信号に記録用処理を施して記録データ信号を形成する記録用処理部と、記録データ信号を記録媒体に記録する信号記録部とを備えて構成される。
【００２５】
また、本願発明のうちの請求項１９〜２２，２５及び２６のいずれかに記載された発明に係る情報信号処理装置は、記録媒体から複数の情報データ信号及び情報識別データ信号が多重処理されて含まれる情報多重データ信号に基づく記録データ信号を読み取って読取信号を得る信号読取部と、信号読取部から得られる読取信号に基づいて情報多重データ信号を得る信号処理部と、信号処理部から得られる情報多重データ信号から複数の情報データ信号と情報識別データ信号との再生を行うデータ信号再生部と、データ信号再生部における複数の情報データ信号の夫々についての再生状態をデータ信号再生部により再生された情報識別データ信号によって制御する制御部とを備えて構成される。
【００２６】
このような本願発明のうちの請求項１４，１５，１８〜２２，２５及び２６のいずれかに記載された発明に係る情報信号処理装置が作動するもとにあっては、複数の情報データ信号が記録媒体に記録されるに際して、情報識別データ形成部により、複数の情報データ信号の夫々についての固有の特徴と共通の特徴とに応じた情報識別データ信号が形成され、その情報識別データ信号及び複数の情報データ信号にデータ多重処理部による多重処理が施されて得られる情報多重データ信号が、記録用処理部及び信号記録部により記録用処理が施されて記録媒体に記録される。即ち、複数の情報データ信号と共に複数の情報データ信号の夫々についての固有の特徴と共通の特徴とに応じた情報識別データ信号が記録媒体に記録されるのであり、この情報識別データ信号は、複数の情報データ信号のうちのいずれについても、それにおける固有の特徴及び共通の特徴に対応していることになる。
【００２７】
また、複数の情報データ信号がそれが記録された記録媒体から再生されるに際しては、記録媒体から、複数の情報データ信号と共に記録された、複数の情報データ信号の夫々についての固有の特徴と共通の特徴とに応じた情報識別データ信号がデータ信号再生部により再生され、制御部によりその再生された情報識別データ信号によって複数の情報データ信号の夫々についての再生状態が制御される。その際、再生された情報識別データ信号は、再生される複数の情報データ信号のうちのいずれについても、それにおける固有の特徴及び共通の特徴に対応していることになる。
【００２８】
従って、本願発明のうちの請求項１４，１５，１８〜２２，２５及び２６のいずれかに記載された発明に係る情報信号処理装置によれば、各々が、例えば、音声情報をあらわすものとされる複数の情報データ信号を、夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々についての再生状態を、複数の情報データ信号のうちのいずれに対しても、それにおける固有の特徴及び共通の特徴に対応することになる、再生された情報識別データ信号によって制御することができ、その結果、複数の情報データ信号の夫々について、それに含まれる特定のデータのみの再生を適正かつ確実に行うことができる。
【００２９】
複数の情報データ信号が多言語音声データ信号とされる場合には、本願発明のうちの請求項１６または１７に記載された発明に係る情報信号処理装置のように、第１の特徴データ検出部が、第１の特徴データ信号を、多言語音声データ信号の夫々における無音部分を検出し、検出された無音部分に応じて得るとともに、第２の特徴データ検出部が、第２の特徴データ信号を、多言語音声データ信号のうちの一つにおける特定情報データ部分を多言語音声データ信号の夫々に共通のものとして検出し、検出された特定情報データ部分に応じて得るものとされる。それゆえ、記録媒体からの多言語音声データ信号の再生にあたっては、記録媒体から、多言語音声データ信号と共に記録された、多言語音声データ信号の夫々についての無音部分と、多言語音声データ信号の夫々に共通な、多言語音声データ信号のうちの一つにおける特定情報データ部分とに応じた情報識別データ信号が再生され、その再生された情報識別データ信号によって多言語音声データ信号の夫々についての再生状態が制御されることにより、多言語音声データ信号の夫々について、例えば、人声情報データのみについての再生を適正かつ確実に行うことができることになる。
【００３０】
さらに、本願発明のうちの請求項２３及び２４のいずれかに記載された発明に係る情報信号処理装置は、記録媒体から、複数の情報データ信号が含まれる情報多重データ信号を読み取って読取信号を得る信号読取部と、信号読取部から得られる読取信号に基づいて情報多重データ信号を得る信号処理部と、信号処理部から得られる情報多重データ信号から複数の情報データ信号の再生を行うデータ信号再生部と、複数の情報データ信号の夫々についての固有の特徴に応じた第１の特徴データ信号と複数の情報データ信号のうちの少なくも一つにおける複数の情報データ信号に共通の特徴に応じた第２の特徴データ信号とを得る特徴データ信号形成部と、データ信号再生部における複数の情報データ信号の夫々についての再生状態を特徴データ信号形成部から得られる第１及び第２の特徴データ信号によって制御する制御部とを備えて構成される。
【００３１】
このような本願発明のうちの請求項２３及び２４のいずれかに記載された発明に係る情報信号処理装置が作動するもとにあっては、複数の情報データ信号がそれが記録された記録媒体から再生されるに際して、記録媒体からの読取信号に基づいて、複数の情報データ信号の夫々についての固有の特徴に応じた第１の特徴データ信号と複数の情報データ信号に共通の特徴に応じた第２の特徴データ信号とが特徴データ信号形成部によって得られ、制御部により第１及び第２の特徴データ信号によって複数の情報データ信号の夫々についての再生状態が制御される。その際、第１及び第２の特徴データ信号は、再生される複数の情報データ信号のうちのいずれについても、それにおける固有の特徴及び共通の特徴に対応していることになる。
【００３２】
従って、本願発明のうちの請求項２３及び２４のいずれかに記載された発明に係る情報信号処理装置によれば、各々が、例えば、音声情報をあらわすものとされる複数の情報データ信号を、夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々についての再生状態を、複数の情報データ信号のうちのいずれに対しても、それにおける固有の特徴及び共通の特徴に対応することになる、第１及び第２の特徴データ信号によって制御することができ、その結果、複数の情報データ信号の夫々について、それに含まれる特定のデータのみの再生を適正かつ確実に行うことができる。それゆえ、例えば、複数の情報データ信号が多言語音声データ信号とされる場合においては、記録媒体からの多言語音声データ信号の再生にあたり、多言語音声データ信号を構成する複数の音声データ信号の夫々について、例えば、人声情報データのみについての再生を適正かつ確実に行うことができることになる。
【００３３】
【発明の実施の形態】
図１は、本願発明に係る情報信号処理装置の第１の例を示し、この第１の例において本願発明に係る情報信号処理方法の第１の例が実施される。
【００３４】
図１に示される第１の例にあっては、情報信号である多言語音声信号を構成する音声信号ＳＡＪ，ＳＡＥ及びＳＡＧについての処理が行われる。音声信号ＳＡＪは、日本語によって言いあらわした言語情報及び音楽情報を含んでおり、音声信号ＳＡＥは、英語によって言いあらわした言語情報及び音楽情報を含んでおり、音声信号ＳＡＧは、ドイツ語によって言いあらわした言語情報及び音楽情報を含んでいる。
【００３５】
音声信号ＳＡＪに含まれる日本語によって言いあらわした言語情報，音声信号ＳＡＥに含まれる英語によって言いあらわした言語情報，音声信号ＳＡＧに含まれるドイツ語によって言いあらわした言語情報は、夫々が同一の意味内容を有している。そして、例えば、音声信号ＳＡＪに含まれる日本語によって言いあらわした言語情報が図２のＡの波形図に、音声信号ＳＡＥに含まれる英語によって言いあらわした言語情報が図２のＢの波形図に、音声信号ＳＡＧに含まれるドイツ語によって言いあらわした言語情報が図２のＣの波形図に夫々示される如く、夫々が同一の意味内容を有しているもとにあっても、各々における無音状態（振幅が零の状態）のタイミング及び継続時間長は互いに異なっている。
【００３６】
また、音声信号ＳＡＪに含まれる音楽情報，音声信号ＳＡＥに含まれる音楽情報及び音声信号ＳＡＧに含まれる音楽情報は、夫々に共通のものとされている。
【００３７】
音声信号ＳＡＪは、入力端子１１を通じてＡ／Ｄ変換部１２に供給され、また、音声信号ＳＡＥは、入力端子１３を通じてＡ／Ｄ変換部１４に供給され、さらに、音声信号ＳＡＧは、入力端子１５を通じてＡ／Ｄ変換部１６に供給される。Ａ／Ｄ変換部１２においては、音声信号ＳＡＪについてのディジタル化が行われ、音声信号ＳＡＪに含まれる日本語によって言いあらわした言語情報をあらわす人声情報データ，音声信号ＳＡＪに含まれる音楽情報をあらわす音楽情報データ、及び、無音状態をあらわす無音部分を含んだ音声データ信号ＤＪが、ディジタル化された情報データ信号として形成される。
【００３８】
同様に、Ａ／Ｄ変換部１４においては、音声信号ＳＡＥについてのディジタル化が行われ、音声信号ＳＡＥに含まれる英語によって言いあらわした言語情報をあらわす人声情報データ，音声信号ＳＡＥに含まれる音楽情報をあらわす音楽情報データ、及び、無音状態をあらわす無音部分を含んだ音声データ信号ＤＥが、ディジタル化された情報データ信号として形成される。さらに、Ａ／Ｄ変換部１６においては、音声信号ＳＡＧについてのディジタル化が行われ、音声信号ＳＡＧに含まれるドイツ語によって言いあらわした言語情報をあらわす人声情報データ，音声信号ＳＡＧに含まれる音楽情報をあらわす音楽情報データ、及び、無音状態をあらわす無音部分を含んだ音声データ信号ＤＧが、ディジタル化された情報データ信号として形成される。
【００３９】
Ａ／Ｄ変換部１２から得られる情報データ信号である音声データ信号ＤＪ，Ａ／Ｄ変換部１４から得られる情報データ信号である音声データ信号ＤＥ、及び、Ａ／Ｄ変換部１６から得られる情報データ信号である音声データ信号ＤＧは、音声データ圧縮部１７に供給されるとともに、無音部分検出部１８，１９及び２０に夫々供給される。さらに、Ａ／Ｄ変換部１２から得られる情報データ信号である音声データ信号ＤＪは、音楽情報データ検出部２１にも供給される。
【００４０】
音声データ圧縮部１７においては、音声データ信号ＤＪ，ＤＥ及びＤＧの夫々についての高能率符号化によるデータ圧縮が行われ、音声データ信号ＤＪに基づく圧縮音声データＤＪ’，音声データ信号ＤＥに基づく圧縮音声データＤＥ’及び音声データ信号ＤＧに基づく圧縮音声データＤＧ’が、時分割データ系列を成すものとして得られる。そして、音声データ圧縮部１７から得られる圧縮音声データＤＪ’，ＤＥ’及びＤＧ’は、データ多重処理部２２に供給される。
【００４１】
無音部分検出部１８においては、音声データ信号ＤＪに含まれる無音部分が、音声データ信号ＤＪについての固有の特徴として検出され、検出された固有の特徴に応じた特徴データ信号として、検出された無音部分に応じた無音データ信号ＤＮＪが形成される。そして、無音データ信号ＤＮＪが、無音部分検出部１８から情報識別データ形成部２３に供給される。
【００４２】
無音部分検出部１９においては、音声データ信号ＤＥに含まれる無音部分が、音声データ信号ＤＥについての固有の特徴として検出され、検出された固有の特徴に応じた特徴データ信号として、検出された無音部分に応じた無音データ信号ＤＮＥが形成される。そして、無音データ信号ＤＮＥが、無音部分検出部１９から情報識別データ形成部２３に供給される。
【００４３】
無音部分検出部２０においては、音声データ信号ＤＧに含まれる無音部分が、音声データ信号ＤＧについての固有の特徴として検出され、検出された固有の特徴に応じた特徴データ信号として、検出された無音部分に応じた無音データ信号ＤＮＧが形成される。そして、無音データ信号ＤＮＧが、無音部分検出部２０から情報識別データ形成部２３に供給される。
【００４４】
無音部分検出部１８における音声データ信号ＤＪに含まれる無音部分の検出は、例えば、音声データ信号ＤＪを所定の区間に区切り、各区間毎にあらわされる平均電力あるいは平均レベルを求め、求められた平均電力あるいは平均レベルを予め設定された閾値と比較し、求められた平均電力あるいは平均レベルが予め設定された閾値より小であるとき、音声データ信号ＤＪに含まれる無音部分が検出されるようにして行われる。無音部分検出部１９における音声データ信号ＤＥに含まれる無音部分の検出、さらには、無音部分検出部２０における音声データ信号ＤＧに含まれる無音部分の検出も、無音部分検出部１８における音声データ信号ＤＪに含まれる無音部分の検出と同様に行われる。
【００４５】
音楽情報データ検出部２１においては、音声データ信号ＤＪに含まれる音楽情報データが、音声データ信号ＤＪ，ＤＥ及びＤＧに共通の特徴として検出され、検出された共通の特徴に応じた特徴データ信号として、検出された音楽情報データに応じた音楽データ信号ＤＭＣが形成される。そして、音楽データ信号ＤＭＣが、音楽情報データ検出部２１から情報識別データ形成部２３に供給される。
【００４６】
音楽情報データ検出部２１における音声データ信号ＤＪに含まれる音楽情報データの検出及び音楽データ信号ＤＭＣの形成は、例えば、図３に示される音楽情報データ検出部２１についての具体構成例が用いられて行われる。
【００４７】
図３に示される音楽情報データ検出部２１についての具体構成例にあっては、図１に示されるＡ／Ｄ変換部１２からの音声データ信号ＤＪが、端子４１を通じて離散フーリエ変換処理部４２に供給される。離散フーリエ変換処理部４２においては、音声データ信号ＤＪに対するフーリエ変換処理が行われて、例えば、関数  Ｘ（ω）が求められる。この関数  Ｘ（ω）は、対数処理部４３において、 log｜Ｘ（ω）｜2 によってあらわされる対数演算処理が行われる。
【００４８】
続いて、対数処理部４３による対数演算処理結果が離散フーリエ逆変換処理部４４に供給され、離散フーリエ逆変換処理部４４において、対数処理部４３による対数演算処理結果に対するケプストラム演算処理が行われる。そして、離散フーリエ逆変換処理部４４によるケプストラム演算処理結果がスペクトル包絡検出部４５に供給され、スペクトル包絡検出部４５において音声データ信号ＤＪについてのスペクトル包絡が検出され、スペクトル包絡検出部４５から検出されたスペクトル包絡に応じたレベルをあらわすレベルデータ信号ＤＳＬが得られてレベル比較部４６に供給される。
【００４９】
レベル比較部４６には、閾値設定部４７からの予め設定された閾値レベルをあらわす閾値データ信号ＤＲＬが供給されており、レベル比較部４６においては、レベルデータ信号ＤＳＬがあらわすレベルと閾値データ信号ＤＲＬがあらわす閾値レベルとが比較される。その比較の結果、レベルデータ信号ＤＳＬがあらわすレベルが閾値データ信号ＤＲＬがあらわす閾値レベルより大であるとき、レベル比較部４６において、音声データ信号ＤＪにおける音楽情報データに応じた音楽データ信号ＤＭＣが形成され、その音楽データ信号ＤＭＣがレベル比較部４６から端子４８に導出される。
【００５０】
なお、図３に示される具体構成例にあっては、スペクトル包絡検出部４５において音声データ信号ＤＪについてのスペクトル包絡が求められ、求められたスペクトル包絡に基づいて、音声データ信号ＤＪにおける音楽情報データの検出がなされているが、斯かる具体構成例とは異なる具体構成例にあっては、音声データ信号ＤＪに高速フーリエ変換を施した後、所定の信号区間の平均レベルを予め設定された閾値レベルと比較することにより、音声データ信号ＤＪにおける音楽情報データの検出がなされる。
【００５１】
また、図３に示される具体構成例における閾値設定部４７等において設定される、音声データ信号ＤＪにおける音楽情報データを検出するための閾値レベルは、音声データ信号ＤＪにおける音楽情報データがあらわす音楽情報の種類に応じて調整されるようになされるのがよい。
【００５２】
図１に示される情報識別データ形成部２３においては、無音部分検出部１８からの無音データ信号ＤＮＪ，無音部分検出部１９からの無音データ信号ＤＮＥ，無音部分検出部２０からの無音データ信号ＤＮＧ、及び、音楽情報データ検出部２１からの音楽データ信号ＤＭＣに基づく情報識別データ信号ＤＩＤが形成される。この情報識別データ信号ＤＩＤは、音声データ信号ＤＪ，ＤＥ及びＤＧの夫々に対して、それに含まれる無音部分及び音楽情報データに対応するものとされる。そして、情報識別データ形成部２３から得られる情報識別データ信号ＤＩＤが、データ多重処理部２２に供給される。
【００５３】
データ多重処理部２２には、映像データ送出部２４から送出される、映像情報をあらわす映像データ信号ＤＶも供給される。そして、データ多重処理部２２においては、音声データ圧縮部１７からの圧縮音声データＤＪ’，ＤＥ’及びＤＧ’，情報識別データ形成部２３からの情報識別データ信号ＤＩＤ、及び、映像データ送出部２４からの映像データ信号ＤＶに対して多重処理が施されて、情報多重データ信号ＤＸが形成され、その情報多重データ信号ＤＸがエラー訂正コード付加部２５に供給される。
【００５４】
エラー訂正コード付加部２５においては、情報多重データ信号ＤＸにエラー訂正用コードデータが付加されて、情報多重データ信号ＤＸＣが得られ、それが記録用変調処理部２６に供給される。記録用変調処理部２６においては、情報多重データ信号ＤＸＣを変調信号とした所定の変調方式に従う変調処理が行われることにより、情報多重データ信号ＤＸＣに記録用処理が施され、それにより情報多重データ信号ＤＸＣに基づく記録データ信号ＤＲが得られる。そして、記録用変調処理部２６から得られる記録データ信号ＤＲが、信号記録部を形成する光学ヘッド部３０に供給される。
【００５５】
光学ヘッド部３０は、ディスク回転駆動部３１によって回転せしめられる光学記録ディスク状記録媒体である光学ディスク３２に対向するものとされている。ディスク回転駆動部３１は、ディスク回転サーボ制御部３３からの駆動制御信号ＳＤによって制御され、ディスク回転サーボ制御部３３には、制御ユニット３４から送出されるディスク駆動制御信号ＳＳが供給される。
【００５６】
制御ユニット３４からは、ヘッド制御信号ＳＨも駆動信号形成部３５に供給されるべく送出される。駆動信号形成部３５は、ヘッド制御信号ＳＨに応じたヘッド駆動信号ＳＨＤを形成して、それをヘッド送り駆動部３６に供給する。ヘッド送り駆動部３６は、ヘッド駆動信号ＳＨＤに応じて光学ヘッド部３０を光学ディスク３２の半径方向に沿って移動させる、光学ヘッド部３０に対する送り駆動を行う。制御ユニット３４には、入力操作部３７が連結されており、入力操作部３７における入力操作により入力操作部３７から送出される各種の指令信号ＳＫが制御ユニット３４に供給される。
【００５７】
光学ヘッド部３０からは、トラッキング・エラー信号ＥＴとフォーカス・エラー信号ＥＦとが得られて、それらが光ビーム制御信号形成部３８に供給される。光ビーム制御信号形成部３８は、トラッキング・エラー信号ＥＴに基づくトラッキング制御信号ＳＴ及びフォーカス・エラー信号ＥＦに基づくフォーカス制御信号ＳＦを光学ヘッド部３０に供給し、光学ヘッド部３０から光学ディスク３２に入射せしめられる光ビームのトラッキング状態及びフォーカス状態が適正に維持されるようになす。
【００５８】
斯かるもとで、記録用変調処理部２６から光学ヘッド部３０に供給される記録データ信号ＤＲは、光学ヘッド部３０から光学ディスク３２に入射せしめられる光ビームの変調に供され、それにより、記録データ信号ＤＲが光学ディスク３２に記録される状態とされる。このようにして、多言語音声信号を構成する音声信号ＳＡＪ，ＳＡＥ及びＳＡＧに基づく音声データ信号ＤＪ，ＤＥ及びＤＧについての、映像データ信号ＤＶを伴った状態のもとでの記録媒体への記録が、圧縮音声データ信号ＤＪ’，ＤＥ’及びＤＧ’及び情報識別データ信号ＤＩＤが多重処理されて含まれる情報多重データ信号ＤＸに基づく記録データ信号ＤＲが光学ディスク３２に記録されることによって、行われることになる。
【００５９】
図４は、本願発明に係る情報信号処理装置の第２の例を示し、この第２の例において本願発明に係る情報信号処理方法の第２の例が実施される。
【００６０】
図４に示される第２の例は、図１に示される第１の例と同様に構成された部分を多々含んでおり、図４において、図１に示される第１の例の各部及び各信号に対応する部分及び信号については、図１と共通の符号が付されて示されていて、それらについての重複説明は省略される。
【００６１】
図４に示される第２の例においては、音声データ圧縮部１７から得られて時分割データ系列を成す圧縮音声データＤＪ’，ＤＥ’及びＤＧ’が、データ多重処理部２２に供給されるとともに、スイッチ８１に供給される。スイッチ８１は、制御ユニット３４からの制御信号ＳＷＰによる制御のもとに信号選択取出しを行うものとされており、圧縮音声データＤＪ’，圧縮音声データＤＥ’及び圧縮音声データＤＧ’の夫々を順次選択して取り出す動作を繰り返す。
【００６２】
スイッチ８１から順次取り出される圧縮音声データＤＪ’，ＤＥ’及びＤＧ’は、無音部分検出部８２及び音楽情報データ検出部８３の夫々に供給される。無音部分検出部８２においては、スイッチ８１から得られる圧縮音声データＤＪ’に含まれる無音部分が音声データＤＪについての固有の特徴として検出されて、検出された無音部分に応じた無音データ信号ＤＮＪ’が形成され、また、スイッチ８１から得られる圧縮音声データＤＥ’に含まれる無音部分が音声データＤＥについての固有の特徴として検出されて、検出された無音部分に応じた無音データ信号ＤＮＥ’が形成され、さらに、スイッチ８１から得られる圧縮音声データＤＧ’に含まれる無音部分が音声データＤＧについての固有の特徴として検出されて、検出された無音部分に応じた無音データ信号ＤＮＧ’が形成される。そして、無音部分検出部８２から順次得られる無音データ信号ＤＮＪ’，ＤＮＥ’及びＤＮＧ’が、情報識別データ形成部８４に供給される。
【００６３】
一方、音楽情報データ検出部８３においては、スイッチ８１から順次得られる圧縮音声データＤＪ’，ＤＥ’及びＤＧ’のうちの少なくとも一つ、例えば、圧縮音声データＤＪ’に含まれる音楽情報データが、圧縮音声データＤＪ’，ＤＥ’及びＤＧ’の夫々に共通の特徴として検出され、検出された音楽情報データに応じた音楽データ信号ＤＭＣ’が形成される。そして、音楽情報データ検出部８３から得られる音楽データ信号ＤＭＣ’が、情報識別データ形成部８４に供給される。
【００６４】
情報識別データ形成部８４においては、無音部分検出部８２から順次得られる無音データ信号ＤＮＪ’，ＤＮＥ’及びＤＮＧ’と音楽情報データ検出部８３から得られる音楽データ信号ＤＭＣ’とに基づく情報識別データ信号ＤＩＤが形成される。この情報識別データ信号ＤＩＤも、音声データ信号ＤＪ，ＤＥ及びＤＧの夫々に対して、それに含まれる無音部分及び音楽情報データに対応するものとされる。そして、情報識別データ形成部８４から得られる情報識別データ信号ＤＩＤが、データ多重処理部２２に供給される。
【００６５】
図４に示される第２の例におけるその他の構成及び動作は、図１に示される第１の例における構成及び動作と同様であるので、それらについての説明は省略される。
【００６６】
図５は、本願発明に係る情報信号処理装置の第３の例を示し、この第３の例において本願発明に係る情報信号処理方法の第３の例が実施される。
【００６７】
図５に示される第３の例にあっては、光学記録ディスク状記録媒体である光学ディスク５１が用いられ、この光学ディスク５１は、図１に示される第１の例もしくは図４に示される第２の例において光学ディスク３２に記録される記録データ信号ＤＲと同様な記録データ信号ＤＲが記録されたものとされる。即ち、光学ディスク５１に記録されている記録データ信号ＤＲは、多言語音声信号を構成する音声信号ＳＡＪ，ＳＡＥ及びＳＡＧに基づく音声データ信号ＤＪ，ＤＥ及びＤＧの夫々に高能率符号化によるデータ圧縮処理が施されて得られる圧縮音声データ信号ＤＪ’，ＤＥ’及びＤＧ’と、音声データ信号ＤＪ，ＤＥ及びＤＧに基づいて形成された、図１に示される第１の例における情報識別データ形成部２３もしくは図４に示される第２の例における情報識別データ形成部８４から得られるものと同じ情報識別データ信号ＤＩＤと、映像データ信号ＤＶとが、多重処理されて含まれる情報多重データ信号ＤＸに記録用処理が施されて得られたものである。
【００６８】
光学ディスク５１は、ディスク回転駆動部５２によって回転せしめられる。そして、ディスク回転駆動部５２は、ディスク回転サーボ制御部５３からの駆動制御信号ＳＤによって制御され、ディスク回転サーボ制御部５３には、制御ユニット５４から送出されるディスク駆動制御信号ＳＳが供給される。
【００６９】
光学ディスク５１には、信号読取部を形成する光学ヘッド部６０が対向せしめられている。そして、制御ユニット５４から、ヘッド制御信号ＳＨが駆動信号形成部５５に供給されるべく送出され、駆動信号形成部５５は、ヘッド制御信号ＳＨに応じたヘッド駆動信号ＳＨＤを形成して、それをヘッド送り駆動部５６に供給する。ヘッド送り駆動部５６は、ヘッド駆動信号ＳＨＤに応じて光学ヘッド部６０を光学ディスク５１の半径方向に沿って移動させる、光学ヘッド部６０に対する送り駆動を行う。
【００７０】
光学ヘッド部６０からは、トラッキング・エラー信号ＥＴとフォーカス・エラー信号ＥＦとが得られて、それらが光ビーム制御信号形成部５７に供給される。光ビーム制御信号形成部５７は、トラッキング・エラー信号ＥＴに基づくトラッキング制御信号ＳＴ及びフォーカス・エラー信号ＥＦに基づくフォーカス制御信号ＳＦを光学ヘッド部６０に供給し、光学ヘッド部６０から光学ディスク５１に入射せしめられる光ビームのトラッキング状態及びフォーカス状態が適正に維持されるようになす。
【００７１】
斯かるもとで、光学ヘッド部６０から光学ディスク５１に入射せしめられる光ビームが、光学ディスク５１における記録トラックを走査することにより、光学ディスク５１に記録された記録データ信号ＤＲが光学ヘッド部６０によって読み取られる。光学ディスク５１からの記録データ信号ＤＲの読取りを行う光学ヘッド部６０からは、その読取りによって得られる読取信号ＳＱが送出されて読取信号処理部６１に供給される。
【００７２】
読取信号処理部６１においては、光学ヘッド部６０からの読取信号ＳＱに所定の処理が施されて、読取信号ＳＱに基づく記録データ信号ＤＲが再生され、その記録データ信号ＤＲがデータ信号復調処理部６２に供給される。データ信号復調処理部６２においては、記録データ信号ＤＲに所定の復調方式に従った復調処理が施されて、エラー訂正用コードデータが付加された情報多重データ信号ＤＸＣが得られ、それがエラー訂正部６３に供給される。
【００７３】
エラー訂正部６３においては、エラー訂正用コードデータが付加された情報多重データ信号ＤＸＣにエラー訂正用コードデータを用いたエラー訂正処理が施されて、エラー訂正がなされた情報多重データ信号ＤＸが得られる。そして、エラー訂正部６３から得られる情報多重データ信号ＤＸが、データ分離処理部６４に供給される。斯かるもとで、読取信号処理部６１，データ信号復調処理部６２及びエラー訂正部６３が含まれる部分によって、信号読取部である光学ヘッド部６０から得られる読取信号ＳＱに基づいて情報多重データ信号ＤＸを得る信号処理部が形成されていることになる。
【００７４】
データ分離処理部６４においては、情報多重データ信号ＤＸから、映像データ信号ＤＶ，時分割データ系列を成す圧縮音声データ信号ＤＪ’，ＤＥ’及びＤＧ’、及び、情報識別データ信号ＤＩＤが、夫々分離されて再生される。データ分離処理部６４から得られる映像データ信号ＤＶは映像データ処理部６５に供給され、映像データ処理部６５において、映像データ信号ＤＶに各種の処理が施されて、映像データ信号ＤＶに基づく映像信号ＳＶが再生される。
【００７５】
また、データ分離処理部６４から得られて時分割データ系列を成す圧縮音声データ信号ＤＪ’，ＤＥ’及びＤＧ’は、音声データ伸長部６６に供給される。音声データ伸長部６６においては、圧縮音声データ信号ＤＪ’，ＤＥ’及びＤＧ’の夫々に高能率復号化によるデータ伸長処理が施されて、圧縮音声データ信号ＤＪ’，ＤＥ’及びＤＧ’に基づく音声データ信号ＤＪ，ＤＥ及びＤＧが再生される。
【００７６】
さらに、データ分離処理部６４から得られる情報識別データ信号ＤＩＤは、情報識別データ処理部６７に供給される。斯かるもとで、データ分離処理部６４及び音声データ伸長部６６を含む部分によって、信号処理部を形成するエラー訂正部６３から得られる情報多重データ信号ＤＸから情報データ信号ＤＪ，ＤＥ及びＤＧと情報識別データ信号ＤＩＤとの再生を行うデータ信号再生部を形成していることになる。
【００７７】
音声データ伸長部６６から得られる音声データ信号ＤＪ，ＤＥ及びＤＧは、Ｄ／Ａ変換部６８，６９及び７０に夫々供給される。Ｄ／Ａ変換部６８においては、音声データ信号ＤＪについてのアナログ化が行われて、音声データ信号ＤＪに基づく音声信号ＳＡＪが再生され、その音声信号ＳＡＪが出力端子７１に導出される。また、Ｄ／Ａ変換部６９においては、音声データ信号ＤＥについてのアナログ化が行われて、音声データ信号ＤＥに基づく音声信号ＳＡＥが再生され、その音声信号ＳＡＥが出力端子７２に導出される。さらに、Ｄ／Ａ変換部７０においては、音声データ信号ＤＧについてのアナログ化が行われて、音声データ信号ＤＧに基づく音声信号ＳＡＧが再生され、その音声信号ＳＡＧが出力端子７３に導出される。
【００７８】
データ分離処理部６４において再生されて情報識別データ処理部６７に供給される情報識別データＤＩＤは、光学ディスク５１に記録された記録データ信号ＤＲを形成している圧縮音声データ信号ＤＪ’，ＤＥ’及びＤＧ’の夫々、従って、斯かる圧縮音声データ信号ＤＪ’，ＤＥ’及びＤＧ’にデータ伸長が施されることにより得られる音声データ信号ＤＪ，ＤＥ及びＤＧの夫々における無音部分及び音楽情報データに対応するものとされている。そして、情報識別データ処理部６７においては、情報識別データＤＩＤに応じた指令信号ＣＩＤが形成され、それが制御ユニット５４に供給される。
【００７９】
制御ユニット５４には、入力操作部７４が連結されており、入力操作部７４における入力操作により入力操作部７４から送出される各種の指令信号ＳＫが制御ユニット５４に供給される。この入力操作部７４から制御ユニット５４に供給される指令信号ＳＫは、入力操作部７４における入力操作によって、制御ユニット５４に、情報識別データ処理部６７からの指令信号ＣＩＤに応じた制御を指定した態様をもって行うことを命令するものとされる。
【００８０】
入力操作部７４からの指令信号ＳＫが、制御ユニット５４に、情報識別データ処理部６７からの指令信号ＣＩＤに応じて、ディスク回転サーボ制御部５３に供給されるディスク駆動制御信号ＳＳを変化させる制御を行うことを命令するものとされるときには、制御ユニット５４は、ディスク駆動制御信号ＳＳを、情報識別データ処理部６７からの指令信号ＣＩＤに応じて、ディスク回転サーボ制御部５３に、光学ディスク５１の回転を、例えば、光学ヘッド部６０により、光学ディスク５１から記録データ信号ＤＲにおける圧縮音声データ信号ＤＪ’，ＤＥ’及びＤＧ’の夫々についての無音部分及び音楽情報データに対応する部分は読み出されず、人声情報データに対応する部分のみが読み出される状態となるようにする制御を行わせるものとなす。
【００８１】
それにより、光学ヘッド部６０からは、光学ディスク５１から記録データ信号ＤＲにおける圧縮音声データ信号ＤＪ’，ＤＥ’及びＤＧ’の夫々についての人声情報データに対応する部分のみが読み出されることにより得られる読取信号ＳＱが導出され、その結果、音声データ伸長部６６においては、無音部分及び音楽情報データを含まず、人声情報データのみを含む音声データ信号ＤＪ，ＤＥ及びＤＧが再生されることになる。その結果、斯かる際には、Ｄ／Ａ変換部６８，６９及び７０から得られる音声信号ＳＡＪ，ＳＡＥ及びＳＡＧは、夫々、日本語によって言いあらわした言語情報のみ，英語によって言いあらわした言語情報のみ、及び、ドイツ語によって言いあらわした言語情報のみを含むものとされる。
【００８２】
また、入力操作部７４からの指令信号ＳＫが、制御ユニット５４に、制御信号ＣＸＰを音声データ伸長部６６に送出する制御を行うことを命令するものとされるときには、制御ユニット５４は、情報識別データ処理部６７からの指令信号ＣＩＤに応じた制御信号ＣＸＰを音声データ伸長部６６に供給して、音声データ伸長部６６に、それにおいて再生される音声データ信号ＤＪ，ＤＥ及びＤＧの夫々が、無音部分及び音楽情報データを含まず、人声情報データのみを含むものとなる結果が得られる、圧縮音声データ信号ＤＪ’，ＤＥ’及びＤＧ’に対してのデータ伸長処理を行わせる。それにより、音声データ伸長部６６から、各々が人声情報データのみを含むものとされた音声データ信号ＤＪ，ＤＥ及びＤＧが得られ、従って、Ｄ／Ａ変換部６８，６９及び７０から得られる音声信号ＳＡＪ，ＳＡＥ及びＳＡＧは、夫々、日本語によって言いあらわした言語情報のみ，英語によって言いあらわした言語情報のみ、及び、ドイツ語によって言いあらわした言語情報のみを含むものとされる。
【００８３】
さらに、入力操作部７４からの指令信号ＳＫが、制御ユニット５４に、制御信号ＣＣＪ，ＣＣＥ及びＣＣＧを夫々Ｄ／Ａ変換部６８，６９及び７０に送出する制御を行うことを命令するものとされるときには、制御ユニット５４は、情報識別データ処理部６７からの指令信号ＣＩＤに応じた制御信号ＣＣＪ，ＣＣＥ及びＣＣＧを夫々Ｄ／Ａ変換部６８，６９及び７０に供給して、Ｄ／Ａ変換部６８に、それから得られる音声信号ＳＡＪが、無音状態及び音楽情報を含まず、日本語によって言いあらわした言語情報のみを含むものとなるようにする、音声データ信号ＤＪについてのアナログ化を行わせ、また、Ｄ／Ａ変換部６９に、それから得られる音声信号ＳＡＥが、無音状態及び音楽情報を含まず、英語によって言いあらわした言語情報のみを含むものとなるようにする、音声データ信号ＤＥについてのアナログ化を行わせ、さらに、Ｄ／Ａ変換部７０に、それから得られる音声信号ＳＡＧが、無音状態及び音楽情報を含まず、ドイツ語によって言いあらわした言語情報のみを含むものとなるようにする、音声データ信号ＤＧについてのアナログ化を行わせる。その結果、Ｄ／Ａ変換部６８，６９及び７０から得られる音声信号ＳＡＪ，ＳＡＥ及びＳＡＧは、夫々、日本語によって言いあらわした言語情報のみ，英語によって言いあらわした言語情報のみ、及び、ドイツ語によって言いあらわした言語情報のみを含むものとされる。
【００８４】
このようにして、図５に示される第３の例によれば、光学ディスク５１からの記録データ信号ＤＲの読取りを行う光学ヘッド部６０から得られる読取信号ＳＱに基づく音声データ信号ＤＪ，ＤＥ及びＤＧの再生を行うにあたり、音声データ信号ＤＪ，ＤＥ及びＤＧの夫々についての再生状態を、音声データ信号ＤＪ，ＤＥ及びＤＧのうちのいずれに対しても、それにおける無音部分及び音楽情報データに対応することになる、再生された情報識別データ信号ＤＩＤによって制御することができ、その結果、音声データ信号ＤＪ，ＤＥ及びＤＧの夫々を、例えば、それに含まれる無音部分及び音楽情報データは再生されず、人声情報データのみが適正かつ確実に再生されるものとなすことができる。
【００８５】
図６は、本願発明に係る情報信号処理装置の第４の例を示し、この第４の例において本願発明に係る情報信号処理方法の第４の例が実施される。
【００８６】
図６に示される第４の例は、図５に示される第３の例と同様に構成された部分を多々含んでおり、図６において、図５に示される第３の例の各部及び各信号に対応する部分及び信号については、図５と共通の符号が付されて示されていて、それらについての重複説明は省略される。
【００８７】
図６に示される第４の例においては、データ分離処理部６４から得られて時分割データ信号系列を成す圧縮音声データ信号ＤＪ’，ＤＥ’及びＤＧ’が、音声データ信号伸長部６６に供給されるとともに、スイッチ８５に供給される。スイッチ８５は、制御ユニット５４からの制御信号ＳＷＲによる制御のもとに信号選択取出しを行うものとされており、圧縮音声データ信号ＤＪ’，圧縮音声データ信号ＤＥ’及び圧縮音声データ信号ＤＧ’の夫々を順次選択して取り出す動作を繰り返す。
【００８８】
スイッチ８５から順次取り出される圧縮音声データ信号ＤＪ’，ＤＥ’及びＤＧ’は、無音部分検出部８６及び音楽情報データ検出部８７の夫々に供給される。無音部分検出部８６においては、スイッチ８５から得られる圧縮音声データ信号ＤＪ’に含まれる無音部分が音声データ信号ＤＪについての固有の特徴として検出されて、検出された無音部分に応じた無音データ信号ＤＮＪ’が形成され、また、スイッチ８５から得られる圧縮音声データ信号ＤＥ’に含まれる無音部分が音声データ信号ＤＥについての固有の特徴として検出されて、検出された無音部分に応じた無音データ信号ＤＮＥ’が形成され、さらに、スイッチ８５から得られる圧縮音声データ信号ＤＧ’に含まれる無音部分が音声データ信号ＤＧについての固有の特徴として検出されて、検出された無音部分に応じた無音データ信号ＤＮＧ’が形成される。そして、無音部分検出部８６から順次得られる無音データ信号ＤＮＪ’，ＤＮＥ’及びＤＮＧ’が、制御ユニット５４に供給される。
【００８９】
一方、音楽情報データ検出部８７においては、スイッチ８５から順次得られる圧縮音声データ信号ＤＪ’，ＤＥ’及びＤＧ’のうちの少なくとも一つ、例えば、圧縮音声データ信号ＤＪ’に含まれる音楽情報データが、圧縮音声データ信号ＤＪ’，ＤＥ’及びＤＧ’の夫々に共通の特徴として検出され、検出された音楽情報データに応じた音楽データ信号ＤＭＣ’が形成される。そして、音楽情報データ検出部８７から得られる音楽データ信号ＤＭＣ’が、制御ユニット５４に供給される。
【００９０】
制御ユニット５４には、入力操作部７４における入力操作により入力操作部７４から送出される各種の指令信号ＳＫも供給される。この入力操作部７４から制御ユニット５４に供給される指令信号ＳＫは、入力操作部７４における入力操作によって、制御ユニット５４に、無音部分検出部８６から得られる無音データ信号ＤＮＪ’，ＤＮＥ’及びＤＮＧ’及び音楽情報データ検出部８７から得られる音楽データ信号ＤＭＣ’に応じた制御を、指定した態様をもって行うことを命令するものとされる。
【００９１】
入力操作部７４からの指令信号ＳＫが、制御ユニット５４に、無音データ信号ＤＮＪ’，ＤＮＥ’及びＤＮＧ’及び音楽データ信号ＤＭＣ’に応じて、ディスク回転サーボ制御部５３に供給されるディスク駆動制御信号ＳＳを変化させる制御を行うことを命令するものとされるときには、制御ユニット５４は、図５に示される第３の例における制御ユニット５４が、入力操作部７４からの指令信号ＳＫが、制御ユニット５４に、情報識別データ処理部６７からの指令信号ＣＩＤに応じて、ディスク回転サーボ制御部５３に供給されるディスク駆動制御信号ＳＳを変化させる制御を行うことを命令するものとされるとき、その指令信号ＳＫに従って行う前述された制御動作と同様の制御動作を、無音データ信号ＤＮＪ’，ＤＮＥ’及びＤＮＧ’及び音楽データ信号ＤＭＣ’に応じて行う。その結果、斯かる際には、Ｄ／Ａ変換部６８，６９及び７０から得られる音声信号ＳＡＪ，ＳＡＥ及びＳＡＧは、夫々、日本語によって言いあらわした言語情報のみ，英語によって言いあらわした言語情報のみ、及び、ドイツ語によって言いあらわした言語情報のみを含むものとされる。
【００９２】
また、入力操作部７４からの指令信号ＳＫが、制御ユニット５４に、無音データ信号ＤＮＪ’，ＤＮＥ’及びＤＮＧ’及び音楽データ信号ＤＭＣ’に応じて、制御信号ＣＸＰを音声データ伸長部６６に送出する制御を行うことを命令するものとされるときには、制御ユニット５４は、図５に示される第３の例における制御ユニット５４が、入力操作部７４からの指令信号ＳＫが、制御ユニット５４に、指令信号ＣＩＤに応じて、制御信号ＣＸＰを音声データ伸長部６６に送出する制御を行うことを命令するものものとされるとき、その指令信号ＳＫに従って行う前述された制御動作と同様の制御動作を、無音データ信号ＤＮＪ’，ＤＮＥ’及びＤＮＧ’及び音楽データ信号ＤＭＣ’に応じて行う。それにより、Ｄ／Ａ変換部６８，６９及び７０から得られる音声信号ＳＡＪ，ＳＡＥ及びＳＡＧが、夫々、日本語によって言いあらわした言語情報のみ，英語によって言いあらわした言語情報のみ、及び、ドイツ語によって言いあらわした言語情報のみを含むものとされる。
【００９３】
さらに、入力操作部７４からの指令信号ＳＫが、制御ユニット５４に、無音データ信号ＤＮＪ’，ＤＮＥ’及びＤＮＧ’及び音楽データ信号ＤＭＣ’に応じて、制御信号ＣＣＪ，ＣＣＥ及びＣＣＧを夫々Ｄ／Ａ変換部６８，６９及び７０に送出する制御を行うことを命令するものとされるときには、制御ユニット５４は、図５に示される第３の例における制御ユニット５４が、入力操作部７４からの指令信号ＳＫが、制御ユニット５４に、指令信号ＣＩＤに応じて、制御信号ＣＣＪ，ＣＣＥ及びＣＣＧを夫々Ｄ／Ａ変換部６８，６９及び７０に送出する制御を行うことを命令するものとされるとき、その指令信号ＳＫに従って行う前述された制御動作と同様の制御動作を、無音データ信号ＤＮＪ’，ＤＮＥ’及びＤＮＧ’及び音楽データ信号ＤＭＣ’に応じて行う。その結果、Ｄ／Ａ変換部６８，６９及び７０から得られる音声信号ＳＡＪ，ＳＡＥ及びＳＡＧは、夫々、日本語によって言いあらわした言語情報のみ，英語によって言いあらわした言語情報のみ、及び、ドイツ語によって言いあらわした言語情報のみを含むものとされる。
【００９４】
図６に示される第４の例におけるその他の構成及び動作は、図５に示される第３の例における構成及び動作と同様であるので、それらについての説明は省略される。
【００９５】
図７は、本願発明に係る情報信号処理装置の第５の例を示し、この第５の例において本願発明に係る情報信号処理方法の第５の例が実施される。
【００９６】
図７に示される第５の例も、図５に示される第３の例と同様に構成された部分を多々含んでおり、図７においても、図５に示される第３の例の各部及び各信号に対応する部分及び信号については、図５と共通の符号が付されて示されていて、それらについての重複説明は省略される。
【００９７】
図７に示される第５の例においては、音声データ伸長部６６から得られる音声データ信号ＤＪ，ＤＥ及びＤＧが、Ｄ／Ａ変換部６８，６９及び７０に夫々供給されるとともに、音声データ信号ＤＪが音声情報データ検出部９０及び無音部分検出部９１の夫々に供給され、また、音声データ信号ＤＥ及びＤＧが無音部分検出部９２及び９３に夫々供給される。
【００９８】
音楽情報データ検出部９０においては、音声データ信号ＤＪに含まれる音楽情報データが、音声データ信号ＤＪ，ＤＥ及びＤＧに共通の特徴として検出され、検出された共通の特徴に応じた特徴データ信号として、検出された音楽情報データに応じた音楽データ信号ＤＭＣが形成される。そして、音楽情報データ検出部９０から得られる音楽データ信号ＤＭＣは、制御ユニット５４に供給される。
【００９９】
無音部分検出部９１においては、音声データ信号ＤＪに含まれる無音部分が音声データＤＪについての固有の特徴として検出されて、検出された無音部分に応じた無音データ信号ＤＮＪが形成される。また、無音部分検出部９２においては、音声データ信号ＤＥに含まれる無音部分が音声データＤＥについての固有の特徴として検出されて、検出された無音部分に応じた無音データ信号ＤＮＥが形成される。さらに、無音部分検出部９３においては、音声データ信号ＤＧに含まれる無音部分が音声データＤＧについての固有の特徴として検出されて、検出された無音部分に応じた無音データ信号ＤＮＧが形成される。そして、無音部分検出部９１，９２及び９３から夫々得られる無音データ信号ＤＮＪ，ＤＮＥ及びＤＮＧが制御ユニット５４に供給される。
【０１００】
制御ユニット５４には、入力操作部７４における入力操作により入力操作部７４から送出される各種の指令信号ＳＫも供給される。この入力操作部７４から制御ユニット５４に供給される指令信号ＳＫは、入力操作部７４における入力操作によって、制御ユニット５４に、音楽情報データ検出部９０から得られる音楽データ信号ＤＭＣ及び無音部分検出部９１，９２及び９３から夫々得られる無音データ信号ＤＮＪ，ＤＮＥ及びＤＮＧに応じた制御を、指定した態様をもって行うことを命令するものとされる。
【０１０１】
入力操作部７４からの指令信号ＳＫが、制御ユニット５４に、音楽データ信号ＤＭＣ及び無音データ信号ＤＮＪ，ＤＮＥ及びＤＮＧに応じて、ディスク回転サーボ制御部５３に供給されるディスク駆動制御信号ＳＳを変化させる制御を行うことを命令するものとされるときには、制御ユニット５４は、図５に示される第３の例における制御ユニット５４が、入力操作部７４からの指令信号ＳＫが、制御ユニット５４に、情報識別データ処理部６７からの指令信号ＣＩＤに応じて、ディスク回転サーボ制御部５３に供給されるディスク駆動制御信号ＳＳを変化させる制御を行うことを命令するものとされるとき、その指令信号ＳＫに従って行う前述された制御動作と同様の制御動作を、音楽データ信号ＤＭＣ及び無音データ信号ＤＮＪ，ＤＮＥ及びＤＮＧに応じて行う。その結果、斯かる際には、Ｄ／Ａ変換部６８，６９及び７０から得られる音声信号ＳＡＪ，ＳＡＥ及びＳＡＧは、夫々、日本語によって言いあらわした言語情報のみ，英語によって言いあらわした言語情報のみ、及び、ドイツ語によって言いあらわした言語情報のみを含むものとされる。
【０１０２】
また、入力操作部７４からの指令信号ＳＫが、制御ユニット５４に、音楽データ信号ＤＭＣ及び無音データ信号ＤＮＪ，ＤＮＥ及びＤＮＧに応じて、制御信号ＣＸＰを音声データ伸長部６６に送出する制御を行うことを命令するものとされるときには、制御ユニット５４は、図５に示される第３の例における制御ユニット５４が、入力操作部７４からの指令信号ＳＫが、制御ユニット５４に、指令信号ＣＩＤに応じて、制御信号ＣＸＰを音声データ伸長部６６に送出する制御を行うことを命令するものものとされるとき、その指令信号ＳＫに従って行う前述された制御動作と同様の制御動作を、音楽データ信号ＤＭＣ及び無音データ信号ＤＮＪ，ＤＮＥ及びＤＮＧに応じて行う。それにより、Ｄ／Ａ変換部６８，６９及び７０から得られる音声信号ＳＡＪ，ＳＡＥ及びＳＡＧが、夫々、日本語によって言いあらわした言語情報のみ，英語によって言いあらわした言語情報のみ、及び、ドイツ語によって言いあらわした言語情報のみを含むものとされる。
【０１０３】
さらに、入力操作部７４からの指令信号ＳＫが、制御ユニット５４に、音楽データ信号ＤＭＣ及び無音データ信号ＤＮＪ，ＤＮＥ及びＤＮＧに応じて、制御信号ＣＣＪ，ＣＣＥ及びＣＣＧを夫々Ｄ／Ａ変換部６８，６９及び７０に送出する制御を行うことを命令するものとされるときには、制御ユニット５４は、図５に示される第３の例における制御ユニット５４が、入力操作部７４からの指令信号ＳＫが、制御ユニット５４に、指令信号ＣＩＤに応じて、制御信号ＣＣＪ，ＣＣＥ及びＣＣＧを夫々Ｄ／Ａ変換部６８，６９及び７０に送出する制御を行うことを命令するものとされるとき、その指令信号ＳＫに従って行う前述された制御動作と同様の制御動作を、音楽データ信号ＤＭＣ及び無音データ信号ＤＮＪ，ＤＮＥ及びＤＮＧに応じて行う。その結果、Ｄ／Ａ変換部６８，６９及び７０から得られる音声信号ＳＡＪ，ＳＡＥ及びＳＡＧは、夫々、日本語によって言いあらわした言語情報のみ，英語によって言いあらわした言語情報のみ、及び、ドイツ語によって言いあらわした言語情報のみを含むものとされる。
【０１０４】
図７に示される第５の例におけるその他の構成及び動作も、図５に示される第３の例における構成及び動作と同様であるので、それらについての説明は省略される。
【０１０５】
上述の各例においては、３種類の音声データ信号ＤＪ，ＤＥ及びＤＧについての処理がなされているが、本願発明に係る情報信号処理方法もしくは情報信号処理装置は、処理の対象が斯かる例に限られるものではなく、２種類もしくは４種類以上の各種の情報データ信号を処理の対象とすることができる。また、上述の各例においては、記録媒体が光学ディスクとされているが、本願発明に係る情報信号処理方法もしくは情報信号処理装置にあっては、光学ディスク以外の種々の記録媒体が適用可能とされる。
【０１０６】
さらに、図５に示される第３の例，図６に示される第４の例及び図７に示される第５の例の夫々においては、音声データ信号ＤＪ，ＤＥ及びＤＧの夫々が人声情報データのみを含むものとして再生され、音声データ信号ＤＪ，ＤＥ及びＤＧに基づいて得られる音声信号ＳＡＪ，ＳＡＥ及びＳＡＧが、夫々、日本語によって言いあらわした言語情報のみ，英語によって言いあらわした言語情報のみ、及び、ドイツ語によって言いあらわした言語情報のみを含むものとなるようにしているが、それに代えて、音声データ信号ＤＪ，ＤＥ及びＤＧの夫々が音楽情報データのみを含むものとして再生され、音声データ信号ＤＪ，ＤＥ及びＤＧに基づいて得られる音声信号ＳＡＪ，ＳＡＥ及びＳＡＧの夫々が音楽情報のみを含むものとなるようにできること勿論である。
【０１０７】
【発明の効果】
以上の説明から明らかな如く、本願発明のうちの請求項１，２，５〜８，１２及び１３のいずれかに記載された発明に係る情報信号処理方法によれば、複数の情報データ信号を夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々についての再生状態を、複数の情報データ信号のうちのいずれに対しても、それにおける固有の特徴及び共通の特徴に対応することになる、再生された情報識別データ信号によって制御することができ、その結果、複数の情報データ信号の夫々について、それに含まれる特定のデータのみの再生を適正かつ確実に行うことができる。
【０１０８】
本願発明のうちの請求項３または４に記載された発明に係る情報信号処理方法によれば、記録媒体からの多言語音声データ信号の再生にあたり、記録媒体から、多言語音声データ信号と共に記録された、多言語音声データ信号の夫々についての無音部分と、多言語音声データ信号の夫々に共通な、多言語音声データ信号のうちの一つにおける特定情報データ部分とに応じた情報識別データ信号が再生され、その再生された情報識別データ信号によって多言語音声データ信号の夫々についての再生状態が制御されることにより、多言語音声データ信号の夫々について、例えば、人声情報データのみについての再生を適正かつ確実に行うことができることになる。
【０１０９】
本願発明のうちの請求項９〜１１のいずれかに記載された発明に係る情報信号処理方法によれば、音声情報をあらわすものとされる複数の情報データ信号を、夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々についての再生状態を、複数の情報データ信号のうちのいずれに対しても、それにおける固有の特徴及び共通の特徴に対応することになる、第１及び第２の特徴データ信号によって制御することができ、複数の情報データ信号の夫々について、それに含まれる特定のデータのみの再生を適正かつ確実に行うことができる。それゆえ、例えば、複数の情報データ信号が多言語音声データ信号とされる場合においては、記録媒体からの多言語音声データ信号の再生にあたり、多言語音声データ信号を構成する複数の音声データ信号の夫々について、例えば、人声情報データのみについての再生を適正かつ確実に行うことができることになる。
【０１１０】
本願発明のうちの請求項１４，１５，１８〜２２，２５及び２６のいずれかに記載された発明に係る情報信号処理装置によれば、各々が、例えば、音声情報をあらわすものとされる複数の情報データ信号を、夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々についての再生状態を、複数の情報データ信号のうちのいずれに対しても、それにおける固有の特徴及び共通の特徴に対応することになる、再生された情報識別データ信号によって制御することができ、その結果、複数の情報データ信号の夫々について、それに含まれる特定のデータのみの再生を適正かつ確実に行うことができる。
【０１１１】
本願発明のうちの請求項１６または１７に記載された発明に係る情報信号処理装置によれば、記録媒体からの多言語音声データ信号の再生にあたり、記録媒体から、多言語音声データ信号と共に記録された、多言語音声データ信号の夫々についての無音部分と、多言語音声データ信号の夫々に共通な、多言語音声データ信号のうちの一つにおける特定情報データ部分とに応じた情報識別データ信号が再生され、その再生された情報識別データ信号によって多言語音声データ信号の夫々についての再生状態が制御されることにより、多言語音声データ信号の夫々について、例えば、人声情報データのみについての再生を適正かつ確実に行うことができることになる。
【０１１２】
さらに、本願発明のうちの請求項２３及び２４のいずれかに記載された発明に係る情報信号処理装置によれば、複数の情報データ信号を、夫々にディジタル処理を施して記録媒体に記録し、また、記録媒体から得られる読取信号にディジタル処理を施して複数の情報データ信号を再生するにあたり、記録媒体からの複数の情報データ信号の再生に際して、複数の情報データ信号の夫々についての再生状態を、複数の情報データ信号のうちのいずれに対しても、それにおける固有の特徴及び共通の特徴に対応することになる、第１及び第２の特徴データ信号によって制御することができ、その結果、複数の情報データ信号の夫々について、それに含まれる特定のデータのみの再生を適正かつ確実に行うことができる。それゆえ、例えば、複数の情報データ信号が多言語音声データ信号とされる場合においては、記録媒体からの多言語音声データ信号の再生にあたり、多言語音声データ信号を構成する複数の音声データ信号の夫々について、例えば、人声情報データのみについての再生を適正かつ確実に行うことができることになる。
【図面の簡単な説明】
【図１】本願発明に係る情報信号処理装置の第１の例を示すブロック構成図である。
【図２】図１に示される例による信号処理に供される多言語音声信号に含まれる言語情報の説明に供される波形図である。
【図３】図１に示される例における音楽情報データ検出部についての具体構成例を示すブロック構成図である。
【図４】本願発明に係る情報信号処理装置の第２の例を示すブロック構成図である。
【図５】本願発明に係る情報信号処理装置の第３の例を示すブロック構成図である。
【図６】本願発明に係る情報信号処理装置の第４の例を示すブロック構成図である。
【図７】本願発明に係る情報信号処理装置の第５の例を示すブロック構成図である。
【符号の説明】
１２，１４，１６  Ａ／Ｄ変換部      １７  音声データ圧縮部      １８，１９，２０，８２，８６，９１，９２，９３  無音部分検出部      ２１，８３，８７，９０  音楽情報データ検出部      ２２  データ多重処理部      ２３，８４  情報識別データ形成部      ２５  エラー訂正コード付加部      ２６記録用変調処理部      ３０，６０  光学ヘッド部      ３１，５２  ディスク回転駆動部      ３２，５１  光学ディスク      ３３，５３  ディスク回転サーボ制御部      ３４，５４  制御ユニット      ３５，５５  駆動信号形成部      ３６，５６  ヘッド送り駆動部      ３７，７４  入力操作部      ３８，５７  光ビーム制御信号形成部      ４２  離散フーリエ変換処理部
４３  対数処理部      ４４  離散フーリエ逆変換処理部      ４５  スペクトル包絡検出部      ４６  レベル比較部      ４７  閾値設定部      ６１  読取信号処理部      ６２  データ信号復調処理部      ６３  エラー訂正部
６４  データ分離処理部      ６６  音声データ伸長部      ６７  情報識別データ処理部      ６８，６９，７０  Ｄ／Ａ変換部      ８１，８５  スイッチ
【図１】
0003885276.tif 000002
【図２】
0003885276.tif 000003
【図３】
0003885276.tif 000004
【図４】
0003885276.tif 000005
【図５】
0003885276.tif 000006
【図６】
0003885276.tif 000007
【図７】
0003885276.tif 000008